(57)【特許請求の範囲】
【請求項１】
画像形成装置における収納部に、印字部を跨いで着脱可能に装着するインクシートカートリッジであって、
インクシートの供給側スプールと巻取り側スプールとの各々の左右両端部を回転自在に支持するように配置した左右両側板を、前記供給側と巻取り側との上方間で前記インクシートの芯管の延びる方向に連結板にて連結し、
前記インクシートの巻回部の上方間を連結する連結板には、インクシートの幅内であってその幅の中央部より左右いずれか一方に偏位した部位に、鰭状の把手を上向きに突設し、
前記把手を有する連結板の上面には、画像形成装置における上ケース部を本体ケースに対して係脱するための係止手段の操作軸が嵌まり得る凹溝状のリブが、前記インクシートの芯管の延びる方向に沿って横長状に形成されている
ことを特徴とするインクシートカートリッジ。
【請求項２】
画像形成装置における収納部に、印字部を跨いで着脱可能に装着するインクシートカートリッジであって、
インクシートの供給側スプールと巻取り側スプールとの各々の左右両端部を回転自在に支持するように配置した左右両側板を、前記供給側と巻取り側との上方間で前記インクシートの芯管の延びる方向に連結板にて連結し、
前記インクシートの巻回部の上方間を連結する連結板には、インクシートの幅内であってその幅の中央部より左右いずれか一方に偏位した部位に、鰭状の把手を上向きに突設し、
前記把手には、画像形成装置における開閉可能な上ケース部の下面に下向きに突設する補強リブ部を回避するための上向き開放状の切り溝を設けたことを特徴とするインクシートカートリッジ。
【請求項３】
前記連結板の左右中央部には、前記芯管の延びる方向に沿って長手であって、前記巻回部の外周に接近する方向に突出する凹部が形成されていることを特徴とする請求項１または２に記載のインクシートカートリッジ。
【請求項４】
前記凹部の一部に重複するように、前記把手を形成したことを特徴とする請求項３に記載のインクシートカートリッジ。
【請求項５】
前記連結板は、巻回部の上方間と左右両側板の端部とに跨がるように断面略Ｌ字状に形成されていることを特徴とする請求項１乃至４のいずれかに記載のインクシートカートリッジ。
【請求項６】
前記画像形成装置の本体ケースには原稿読取部に原稿を分離搬送するためのフィードローラを配置し、該フィードローラの側方に位置するように、前記把手をインクシートの幅内であってその幅の中央部より左右いずれか一方に偏位した部位に配置したことを特徴とする請求項１乃至５のいずれかに記載のインクシートカートリッジ。
【請求項７】
前記画像形成装置の本体ケースの上面を覆う上ケース部が設けられ、その上ケース部は後端に設けられた回動支点を中心に本体ケースの後端に対して上下回動可能に枢着されており、
前記インクシートカートリッジは、前記回動支点の近い側に前記供給側スプール、前記回動支点から離れる側に前記巻取り側スプールが位置するように収納され、前記巻取り側スプールの巻回部に対向する連結板に前記把手を形成したことを特徴とする請求項１乃至６のいずれかに記載のインクシートカートリッジ。
【発明の詳細な説明】
【０００１】
【発明の属する技術分野】
本発明は、プリンタやファクシミリ装置等の画像形成装置に使用する、交換可能なインクシートを備えたインクシートカートリッジの構造に関するものである。
【０００２】
【従来の技術】
従来から、ライン型サーマルヘッドと広幅のインクシートとを用いて普通紙等の記録紙に印刷する場合、そのインクシートを装着したインクシートカートリッジとして、例えば、実開平６−８１７４９号公報や特開平１０−１９３７３２号公報、特開平１１−１９２７５６号公報等に示すように、カートリッジ本体に対して、インクシートを交換するため、インクシートの供給側スプールと、巻取り側スプールとを、それぞれ回転可能に支持でき、且つ着脱自在に構成したものが開示されている。
【０００３】
そして、前記特開平１１−１９２７５６号公報では、カートリッジ本体を、インクシートの供給側スプールと、巻取り側スプールの両端部を支持するための左右一対の側板の上面間を連結板にて連結し、その一方の連結板の上面には、把手部分をインクシートの幅方向に長く突設させたものが開示されている。
【０００４】
【発明が解決しようとする課題】
しかしながら、ファクシミリ装置のように、原稿読取り部に原稿シートを搬送させるための搬送ローラが、前記インクシートによる印字部の上方であって左右の略中央部に配置されたものにあっては、前記搬送ローラと把手とが干渉し合うから、その干渉を回避するには、前記搬送ローラを把手部分から離した高い位置に配置しなければならず、画像形成装置の背丈が高くなり、装置をコンパクトにできないという問題があった。
【０００５】
また、前記連結板が平板であると、剛性が低くカートリッジ本体が曲がり易いという問題があり、リブを上向きに突出すると、前述のように、カートリッジ本体に被さる部分と離間しなければならず、画像形成装置の背丈が高くなる。反対に、連結板の下面側にリブを下向きに突設すると、インクシートの巻回部と干渉しないようにするためカートリッジ本体が嵩高くなり、コンパクトにできないという問題があった。
【０００６】
そこで、本発明は、前記従来の問題点に鑑みて提案されたものであって、把手部分の取付け位置を工夫することにより、コンパクトで且つ剛性が高くなり、さらに、取り扱いも容易になるようにしたインクシートカートリッジを提供することを目的とするものである。
【０００７】
【課題を解決するための手段】
前記目的を達成するため、請求項１に記載した発明のインクシートカートリッジは、画像形成装置における収納部に、印字部を跨いで着脱可能に装着するインクシートカートリッジであって、インクシートの供給側スプールと巻取り側スプールとの各々の左右両端部を回転自在に支持するように配置した左右両側板を、前記供給側と巻取り側との上方間で前記インクシートの芯管の延びる方向に連結板にて連結し、前記インクシートの巻回部の上方間を連結する連結板には、インクシートの幅内であってその幅の中央部より左右いずれか一方に偏位した部位に、鰭状の把手を上向きに突設し、前記把手を有する連結板の上面には、画像形成装置における上ケース部を本体ケースに対して係脱するための係止手段の操作軸が嵌まり得る凹溝状のリブが、前記インクシートの芯管の延びる方向に沿って横長状に形成されているものである。
【０００８】
そして、請求項２に記載の発明は、画像形成装置における収納部に、印字部を跨いで着脱可能に装着するインクシートカートリッジであって、インクシートの供給側スプールと巻取り側スプールとの各々の左右両端部を回転自在に支持するように配置した左右両側板を、前記供給側と巻取り側との上方間で前記インクシートの芯管の延びる方向に連結板にて連結し、前記インクシートの巻回部の上方間を連結する連結板には、インクシートの幅内であってその幅の中央部より左右いずれか一方に偏位した部位に、鰭状の把手を上向きに突設し、前記把手には、画像形成装置における開閉可能な上ケース部の下面に下向きに突設する補強リブ部を回避するための上向き開放状の切り溝を設けたものである。
【０００９】
また、請求項３に記載の発明は、請求項１または２に記載のインクシートカートリッジにおいて、前記連結板の左右中央部には、前記芯管の延びる方向に沿って長手であって、前記巻回部の外周に接近する方向に突出する凹部が形成されているものである。
【００１０】
請求項４に記載の発明は、請求項３に記載のインクシートカートリッジにおいて、前記凹部の一部に重複するように、前記把手を形成したものである。
【００１１】
請求項５に記載の発明は、請求項１乃至４のいずれかに記載のインクシートカートリッジにおいて、前記連結板は、巻回部の上方間と左右両側板の端部とに跨がるように断面略Ｌ字状に形成されているものである。
【００１２】
請求項６に記載の発明は、請求項１乃至５のいずれかに記載のインクシートカートリッジにおいて、前記画像形成装置の本体ケースには原稿読取部に原稿を分離搬送するためのフィードローラを配置し、該フィードローラの側方に位置するように、前記把手をインクシートの幅内であってその幅の中央部より左右いずれか一方に偏位した部位に配置したものである。
【００１３】
請求項７に記載の発明は、請求項１乃至６のいずれかに記載のインクシートカートリッジおいて、前記画像形成装置の本体ケースの上面を覆う上ケース部が設けられ、その上ケース部は後端に設けられた回動支点を中心に本体ケースの後端に対して上下回動可能に枢着されており、前記インクシートカートリッジは、前記回動支点の近い側に前記供給側スプール、前記回動支点から離れる側に前記巻取り側スプールが位置するように収納され、前記巻取り側スプールの巻回部に対向する連結板に前記把手を形成したものである。
【００１４】
【発明の実施の形態】
次に、本発明の好ましい実施の形態を、図面を参照しつつ具体的に説明する。図１はファクシミリ装置１の側断面図、図２はインクシートカートリッジの平面図、図３は左側面図、図４はインクシートカートリッジの部品の分解斜視図、図６はインクシートカートリッジの左側斜視図である。
【００１５】
先ず、本発明の画像形成装置としてのファクシミリ装置１の構造について概略説明する。なお、本実施形態のファクシミリ装置１は、原稿８から画像等を読取り、その画像データをファクシミリデータとして電話回線等の通信回線を介して他のファクシミリ装置に送信すると共に電話回線等の通信回線を介して他のファクシミリ装置から送信されたファクシミリデータを受信して記録紙４にその画像を形成する、通常のファクシミリ装置としての機能の他、パーソナルコンピュータやワードプロセッサ等からプリンタケーブルまたは赤外線等の無線を介して伝送されてきたプリントデータを受けてそのデータに応じて画像を形成するプリンタとしての機能を有する。
【００１６】
ファクシミリ装置１の本体ケース２の一側には、図示しない受話器が配置されている。上面開放状の本体ケース２の上面を覆う上ケース部６は、その後端の回動支点６ａを中心にして本体ケース２の上部後端に上下回動可能に枢着されている。上ケース部６の上面前部側には、キースイッチ３ａや液晶表示装置（図示せず）等を有する操作パネル３が設けられている。この操作パネル３も、原稿８の送り不良等に際して、原稿８を除去したり、記録紙４の重送等に対して記録紙４を除去したり、後述するカートリッジ本体３０ごとインクシート２１を交換する等のために前側を上向きに大きく開き回動できるように構成されている。また、本体ケース２の上面後部には記録紙４を斜め下向き状の立てた状態で積層して載置するための上方トレイ部３０等を備えた給紙トレイ体５が、上ケース部６の後部に対して着脱可能且つ回動可能に設けられ、本体ケース２の上面前後中途部には原稿台７が着脱可能に装着されている。
【００１７】
本体ケース２内には、前記操作パネル３の下方位置に、前記原稿台７からの原稿８を一枚ずつ分離して送り出すためのフィードローラ９の下流側に、搬送ローラ対１１が配置され、その下流側には、原稿８を読取るための密着型イメージスキャナ部（ＣＩＳ）１０と排紙ローラ対１２とが配置されている。
【００１８】
前記給紙台５の下方の上ケース部６内には、給紙トレイ体５に積層した記録紙４から一枚ずつ後述する印字部に向かって搬送するための給紙機構が備えられている。即ち、給紙機構は、前記積層した記録紙４の下端部を給紙ローラ１５の周面にバネ１４ａにて押圧するための給紙セット板１４と、給紙ローラ１５の下周面にばねにて付勢して紙を１枚ずつに分離するための分離パッド１６等から構成されている。
【００１９】
この給紙機構の下方であって本体ケース２内には、印字部としてのローラ状のプラテン１７と、該プラテン１７の下面に向かってばね１８により付勢された印字台１９上のサーマルヘッド２２と、該印字台１９に対して前後方向に跨がるように配置したインクシートカートリッジ２０に巻回されたインクシート２１のための収納部１３とが配置されている（図１参照）。
【００２０】
供給側シートスプール２５から前方の巻取り側シートスプール２６に巻回したインクシート２１は、サーマルヘッド２２及びバネ板製のテンション体２３の頂面を通過し、巻取り側シートスプール２６の下周面側に至る。このとき、インクシート２１のインク面は上面にある。インクシート２１の上面（インク面）に重なる記録紙４は、プラテン１７とサーマルヘッド２２とが重合する印字部にて印刷されたのち、上ケース部６の下面に形成された排紙ガイドシュート２７及び排紙ローラ対２８を介して、上ケース部６の上面後方に排紙される。
【００２１】
次に、本発明に係るインクシートカートリッジ２０の構成について、図２〜図７を参照しながら詳述する。
【００２２】
このインクシートカートリッジ２０は、カートリッジ本体３０と、インクシート２１と、供給側シートスプール２５としての左右一対の供給側スプール３６，３７（図４参照）と、巻取り側シートスプール２６としての左右一対の巻取り側スプール３８，３９（図４参照）と、により構成されている。
【００２３】
前記各スプール３６，３７，３９は、インクシート２１を巻回するための芯管４０、４１の両端に各々着脱可能に嵌挿するフランジつき軸部であり、例えば合成樹脂材の射出成形等にて一体的に形成され、一つのスプール３８のみ複数の部品を組み合わせて構成されている。
【００２４】
図２〜図７に示すように、カートリッジ本体３０は、インクシート２１の左右両側外側を囲むようにしてシート供給側から巻き取り側にのびる左右一対の側板３１ａ，３１ｂと、該一対の側板３１ａ，３１ｂにインクシート２１の供給側の巻回部の上側を覆うように連結するための連結板としての左右両側長手の上カバー片３２と、同じく一対の側板３１ａ，３１ｂにインクシート２１の巻き取り側の上部間を覆う連結板２４とから構成されており、合成樹脂材にて射出成形により一体的に製作されたものである。従って、左右長手の供給側の上カバー片３２と巻取り側の連結板２４と左右両側板３１ａ，３１ｂとで囲まれた部位は、インクシート２１が露出する窓孔部となり、該窓孔部の上側からローラ状のプラテン１７が臨み、窓孔部の下方からは印字台１９とサーマルヘッド２２及びテンション体２３が臨むことになる（図１及び図２参照）。
【００２５】
また、前記連結板２４には、その左右長手方向の中央部から右または左方向に適宜寸法だけ偏位した部位に、鰭状の把手（摘み部）３５が上向きに突設されている。なお、前記連結板２４の断面は、略Ｌ字状であって、側板３１ａ，３１ｂの端部側で下向き片２４ａを有する。連結板２４の左右中央部にて左右長手の凹部７４を有し、この凹部７４の一部に把手３５が重複した位置となる（図６及び図７参照）。この凹部７４側から把手３５の前面に親指を掛け、人指し指側を前記把手３５の裏面側であって連結板２４の後縁側に掛けることにより、把手３５の高さを高くしなくても、ユーザーは指で把手３５部分を摘めることになり、カートリッジ本体３０の高さを低くしてコンパクトにできるのである。
【００２６】
そして、この把手３５には、上向きに開放状の切り溝７３が設けられており、上ケース部６の下面であってその左右中央部に配置された原稿搬送ローラとしてのフィードローラ９（図１及び図２参照）の側方の補強リブ７５が、前記上ケース部６を閉じたときに嵌まり得るようになっている。そのため、補強リブ７５と把手３５とが干渉しないし、把手３５の位置がフィードローラ９の配置に対して左右いずれかに偏位しているから、これらの部品も互いに干渉することがない。
【００２７】
さらに、前記連結板２４の上面には、前記上ケース部６を本体ケース２に対して係脱するため係止手段の操作軸（図示せず）が、同じく前記上ケース部６を閉じたときに嵌まり得るように、横長の凹溝状に凹ませたリブ７６が形成されている。このリブ７６は、前記把手３５の裏面側に形成されている。この構成により、連結板２４の剛性が高くなり、湾曲し難くなっている。また、リブ７６であっても連結板２４の上面に突出しないから、前述の把手３５の摘み作業に支障がないのである。
【００２８】
前記他方の側板３１ｂの前後方向中途部には、金属製の印字台１９の端部に接近させて補強リブ７７が一体的に形成されており、ユーザーが誤って側板３１ｂの前後方向中途部を掴むとき、印字台１９の端部に触れて怪我しないようになっている。
【００２９】
そして、前記各側板３１ａ，３１ｂには、前記巻き取り側左スプール３８の箇所を除き、供給側右スプール３７及び巻取り側右スプール３９の各外軸４４や供給側左スプール３６における支持軸部がそれぞれ遊嵌する一端開放型の軸支持溝部３３が形成されている（図４及び図７参照）。なお、軸支持溝部３３に連設し、かつ半径外向きに延びるように各側板３１ａ，３１ｂに切欠き形成された開放溝３４により、各外軸４４（支持軸部）をその軸線が前記軸支持溝部３３に対して略交叉する状態で上向きに押し込むとき、各軸支持溝部３３の下部開放溝縁間の幅寸法が弾性的に拡張するが、自由状態では各外軸４４（支持軸部）が各軸支持溝部３３に対して脱落しないように構成されている。
【００３０】
インクシート２１は、広幅の樹脂フィルムの片面全体にインク層を形成したものであり、図４に示すように、１対の紙製等の円筒状の芯管４０，４１に巻回されている。インクシート２１のインク層に記録紙４を対面させるようにして、プラテン１７とラインプリンタであるサーマルヘッド２２の記録面とにより挟み込んで、画像データに応じてサーマルヘッド２２の発熱抵抗体に通電することにより、１ラインずつ記録紙４に画像が形成される。
【００３１】
供給側の芯管４０及び巻取り側の芯管４１の各右端（記録紙４の排出側から見て右側）に嵌合する供給側右スプール３７と巻取り側右スプール３９とは図４に示すように同一形状であって、前記芯管４０（４１）の右端部内径に嵌まる内筒部４２と、大径のフランジ部４３と、後述するカートリッジ本体３０に対して回転自在に配置される支持軸部としての小径の円筒状の外軸４４とにより構成されている。
【００３２】
供給側の芯管４０の左端に嵌合する供給側左スプール３６は、前記芯管４０の左端部内径に嵌まり、切欠き溝に係合する係合爪４２ａ付きの内筒部４２と、大径のフランジ部４３と、該フランジ部４３の外側に設けて後述するカートリッジ本体３０に対して回転自在に配置される支持軸部（図示せず）とその外側に設けられた歯車部４５と、により構成されている（図４参照）。
【００３３】
他方、巻取り側の芯管４１の左端に嵌合する巻取り側左スプール３８は、カートリッジ本体３０の一側板３１ａの軸孔５０に抜け不能に装着されるものであって、前記一側板３１ａの外側に配置される伝動歯車４７付きの第１回転部材４６と、該第１回転部材４６に前記一側板３１ａの内側から連結されるフランジ４８ａ付きの軸部４８とにより構成されている。そして、前記フランジ付き軸部４８に中間連結体５６を着脱可能に被嵌する一方、この中間連結体５６を前記巻取り側の芯管４１の左端の内径部に嵌合させるものであり、これらはそれぞれ合成樹脂材の射出成形にて形成されている。
【００３４】
図５（ａ）及び図５（ｂ）に示すように、ナイロン樹脂製等の合成樹脂材の第１回転部材４６における伝動歯車４７の内径部には、内筒部４６ａを軸線に沿って長く形成し、この内筒部４６ａの一側切欠き部には、前記軸線方向に沿って延びる棒状の弾性体５１を一体的に形成する。この弾性体５１の自由端側には係止爪５１ａが半径外向きに一体的に形成されている。
【００３５】
前記内筒部４６ａの半径外側には、円周に沿って３つ割りの扇状の基部４６ｂが設けられている。さらに、前記３つ割りの基部４６ｂの間には、フランジ４８ａ付きの軸部４８における３つの係合体５２の先端爪部５２ａがそれぞれ嵌まる略矩形状の嵌合孔が穿設されており、各嵌合孔の外周側に係合部としての段部が形成されている。なお、前記３つ割りの基部４６ｂには、前記軸部４８と対向する側面に突設し、半径方向に延びる位置決め突起５４が一体的に形成されている。
【００３６】
ナイロン樹脂製等の合成樹脂材のフランジ４８ａ付きの軸部４８における筒状の基部４８ｂから円盤状のフランジ４８ａが半径外方向に突出し、前記基部４８ｂの一端には、半径がやや小さい断面円弧状の案内部が軸線方向に延びており、前記弾性体５１及びその先端係止爪５１ａが前記基部４８ａ及び案内部の内径部を軸線方向に貫通し得る。前記フランジ４８ａの半径中途部からは、前記基部４８ｂと逆方向に、３つの係合体５２が突出している。また、前記基部４８ｂとフランジ４８ａとの付け根部には、前記第１回転部材４６における各位置決め突起５４が嵌まる位置決め孔５５が穿設されている。
【００３７】
さらに、前記左側板３１ａの外面のうち、前記巻取り側の伝動歯車４７の外周縁よりも半径外側部位に、当該伝動歯車４７付きの第１回転部材４６の抜き出し防止部材を突設するものである。その第１実施形態は、図２〜図７に示すごとく、前記伝動歯車４７の外周の一部を覆うように突設した円弧庇状の第１防止片７０と、前記左側板３１ａの外面に横向きに突設した丸筒状の支持片７１の両側から突出した鰭状の第２防止片７２とからなり、第１防止片７０及び第２防止片７２にて伝動歯車４７の外周のうち９０度以上好ましくは１８０度以上を囲むように設定されている。
【００３８】
このように構成すると、前記左側板３１ａの外側から伝動歯車４７の外周をユーザーの指で摘もうとしても、当該伝動歯車４７の外周のうちの半円以内の箇所しか摘むことができず、抜き出すための力が入らず、伝動歯車４７を外す作業が非常に困難となり、実質上第１回転部材４６の抜き出しを防止できるのである。
【００３９】
上記の構成により、カートリッジ本体３０における巻き取り側であって、実施形態では図４に示す左側板３１ａの外側から、軸孔５０に対して第１回転部材４６の基部４６ｂを挿入し、前記側板３１ａの内側から、軸部４８のフランジ４８ａを接近させ、前記軸孔５０に３つの係合体５２を挿入する。そして、各係合体５２の各先端爪部５２ａを前記第１回転部材４６における伝動歯車４７の内径側の各嵌合孔５３に嵌め入れる。これにより、各嵌合孔５３の外周側の段部５３ａに各先端爪部５２ａが係合し、巻取り側左スプール３８として一体となり、前記軸孔５０、ひいてはカートリッジ本体３０から抜け不能となるのである。
【００４０】
また、巻取り側左スプール３８として一体となった状態では、軸部４８の基部４８ｂと第１回転部材４６における３つ割りの基部４６ｂとの合わせ部での外周が円筒状となり、軸孔５０に対する、伝動歯車４７及び巻き取り側スプール３８の回転中心軸線の位置決め部となる。
【００４１】
上述の構成により、前記カートリッジ本体３０に取替え用インクシートセットを装着する形態について説明する。取替え用インクシートセットは、前記供給側芯管４０に新しいインクシート２１を巻回したものと、巻き取り側芯管４１とのセットであり、インクシート２１の幅寸法は、芯管４１の両端間の寸法に略等しくすることが好ましい。また、予め、新しいインクシート２１の端部を前記芯管４１の外周に接着テープ等にて取付けしておく。そして、前記第１回転部材４６とフランジ４８ａ付きの軸部４８とをカートリッジ本体３０の所定の軸孔５０の箇所に抜け不能に装着して巻取り側左スプール３８を構成しておく。そして、巻き取り側の芯管４１の端部（左端）と前記巻取り側左スプール３８における軸部４８との間に中間連結体５６を介挿し、前記軸部４８に芯管４１を差し込む。
【００４２】
他方、前記芯管４１の右端に巻き取り側右スプール３９を差し込み装着する。供給側の芯管４０の両端に、供給側左スプール３６及び供給側右スプール３７をそれぞれ差し込んで装着する。
【００４３】
上述のように、４箇所のスプール３６、３７、３８、３９のうち１箇所のスプール（実施形態では巻取り側左スプール３８）がカートリッジ本体３０に対して抜け不能に装着されているから、例えば前記の実施形態では伝動歯車４７の配置側がカートリッジ本体３０の左右いずれかであることが明瞭となり、ユーザーが新しいインクシート２１に交換する場合に芯管４０、４１の両端を各スプールに取付けするときの方向等の誤りが少なくなり、迅速且つ容易にインクシート２１の交換ができるのである。
【００４４】
そして、前述のように、第１及び第２防止部材７０、７２の存在によりユーザーが勝手に伝動歯車４７の外周を摘んで前記第１回転部材４６を外すことができないから、カートリッジ本体３０における正規の側に配置すべき伝動歯車４７を取り外すことができず、従って、インクシート２１の交換に際して誤った箇所に他の回転部材としてのスプール３６、３７、３９を取付けてしまうこと等を確実に防止できるのである。
【００４５】
抜き出し防止部材の第２実施形態としては、図示しないが、前述の円弧庇状の防止片であって、円周方向の長さの短いものを、間隔をおいて２〜３個突設することにより、伝動歯車４７の外周のうち９０度以上好ましくは１８０度以上を囲むように構成しても良い。他の実施形態としては、庇状でなくとも、多数の凸軸状の防止片を間隔をおいて伝動歯車４７の外周のうち９０度以上好ましくは１８０度以上を囲むように配置しても良いのである。
【００４６】
なお、右側板３１ｂの外面にも丸筒状の支持片７１が横向きに突設されており、この左右一対の支持片７１、７１が本体ケース２における収納部１３内の図示しない位置規制部に当接して、カートリッジ本体３０の正常なセット状態を保持できるようにしている。
【００４７】
上記実施形態では、本発明をファクシミリ装置に適用したが、もちろんこれに限るものではなく、プリンタ、複写機、あるいはそれらの複数の機能を備えた機器などの各種画像形成装置に用いることができる。
【００４８】
【発明の効果】
以上説明したように請求項１に記載した発明のインクシートカートリッジは、画像形成装置における収納部に、印字部を跨いで着脱可能に装着するインクシートカートリッジであって、インクシートの供給側スプールと巻取り側スプールとの各々の左右両端部を回転自在に支持するように配置した左右両側板を、前記供給側と巻取り側との上方間で前記インクシートの芯管の延びる方向に連結板にて連結し、前記インクシートの巻回部の上方間を連結する連結板には、インクシートの幅内であってその幅の中央部より左右いずれか一方に偏位した部位に、鰭状の把手を上向きに突設したものである。
【００４９】
この構成により、請求項１の発明によれば、把手の位置が搬送用ローラの配置に対して左右いずれかに偏位しているから、これらの部品も互いに干渉することがなく、画像形成装置の高さを低くすることができる。
【００５０】
そして、請求項１に記載の発明では、前記把手を有する連結板の上面には、画像形成装置における上ケース部を本体ケースに対して係脱するため係止手段の操作軸が嵌まり得る凹溝状のリブが、前記インクシートの芯管の延びる方向に沿って横長状に形成されているものである。この構成により、連結板の剛性が平板状のものより高くなり、湾曲し難いくくなっている。また、リブであっても連結板の上面に突出しないから、把手の摘み作業に支障がなく、インクシートカートリッジの取り扱いが容易になるという効果を奏する。
【００５１】
そして、請求項２に記載の発明は、画像形成装置における収納部に、印字部を跨いで着脱可能に装着するインクシートカートリッジであって、インクシートの供給側スプールと巻取り側スプールとの各々の左右両端部を回転自在に支持するように配置した左右両側板を、前記供給側と巻取り側との上方間で前記インクシートの芯管の延びる方向に連結板にて連結し、前記インクシートの巻回部の上方間を連結する連結板には、インクシートの幅内であってその幅の中央部より左右いずれか一方に偏位した部位に、鰭状の把手を上向きに突設し、前記把手には、画像形成装置における開閉可能な上ケース部の下面に下向きに突設する補強リブ部を回避するための上向き開放状の切り溝を設けたものであるから、これによっても、画像形成装置の高さを低くすることができるという効果を奏する。
【００５２】
請求項３乃至５に記載の発明によれば、連結板の左右中央部にて左右長手の凹部を有し、この凹部の一部に把手が重複した位置となるから、この凹部側から把手の前面に親指を掛け、人指し指側を前記把手裏面側であって連結板の後縁側に掛けることにより、把手の高さを高くしなくても、ユーザーは指で把手部分を摘めることになり、カートリッジ本体の高さを低くしてコンパクトにできるのである。
【図面の簡単な説明】
【図１】  ファクシミリ装置の側断面図である。
【図２】  インクシートカートリッジの平面図である。
【図３】  インクシートカートリッジの左側面図である。
【図４】  インクシートカートリッジの部品の裏返した状態での分解斜視図である。
【図５】  （ａ）は第１回転部材４６とフランジ付き軸部４８と中間連結体５６との連結位置関係を示す拡大断面図、（ｂ）は連結状態を示す拡大断面図である。
【図６】  インクシートカートリッジの前方左側から見た斜視図である。
【図７】  インクシートカートリッジの前方右側から見た斜視図である。
【符号の説明】
２      本体ケース
４      記録紙
５      給紙トレイ体
６      上ケース部
２０      インクシートカートリッジ
２１      インクシート
２４      連結板
２５      供給側シートスプール
２６      巻き取り側シートスプール
３０      カートリッジ本体
３１ａ，３１ｂ      側板
３５      把手
３６〜３９      スプール
４０、４１    芯管
４２      内筒部
４３、４８ａ    フランジ部
４５    歯車部
４６    第１回転部材
４７    伝動歯車
４８    軸部
５６      中間連結体
７３      切り溝
７４      凹部
７６      リブ
【図１】
0003743295.tif 000002
【図２】
0003743295.tif 000003
【図３】
0003743295.tif 000004
【図４】
0003743295.tif 000005
【図５】
0003743295.tif 000006
【図６】
0003743295.tif 000007
【図７】
0003743295.tif 000008